(57)【要約】【課題】アッセンブリー搬送時にブーツの破れを防止するために特別な管理の必要のないコントロールケーブルアッシーを提供することを目的とする。【解決手段】本発明のコントロールケーブルアッシーＡは、インナーケーブル１と、アウターケーシング２と、端末部材３と、他端にエンド部４２が設けられたガイドロッド４と、ガイドロッド４の摺動を案内するガイドパイプ５と、ガイドロッド４のエンド部４２と接続する一端部６１と、端末部材３と接続する他端部６２と、一端部６１と他端部６２との間に設けられ、伸縮可能な蛇腹部６３とを有するブーツ体６と、を備え、ブーツ体６は、一端部６１側よりも内径の大きい大径部６４を有し、大径部６４の内壁面６４ｉには、内壁面６４ｉから突出し、大径部６４の内部において接触し、内壁面６４ｉとガイドロッド４との当接を阻害する接触部Ｌｃを有するリップ部Ｌが設けられている。【選択図】図１
2018054102.tif 000002
【特許請求の範囲】
【請求項１】
インナーケーブルと、
前記インナーケーブルを内部に挿通するアウターケーシングと、
前記アウターケーシングの端部に固定される端末部材と、
一端に前記インナーケーブルが接続される接続部と、他端にエンド部とが設けられたガイドロッドと、
前記端末部材に設けられ、前記ガイドロッドが摺動する内腔を有する前記ガイドロッドの摺動を案内するガイドパイプと、
前記ガイドロッドのエンド部と接続する一端部と、前記端末部材と接続する他端部と、前記一端部と前記他端部との間に設けられ、伸縮可能な蛇腹部とを有するブーツ体と、
を備えたコントロールケーブルアッシーであって、
前記ブーツ体は、
前記一端部から前記他端部まで延びる内腔と、
前記他端部側に設けられ、前記一端部側よりも内径の大きい大径部とを有し、
前記大径部の内壁面には、前記内壁面から突出し、前記大径部の内部において接触し、前記内壁面と前記ガイドロッドとの当接を阻害する接触部を有するリップ部が設けられている、
コントロールケーブルアッシー。
【請求項２】
前記リップ部は、前記蛇腹部が伸長する場合と、前記蛇腹部が収縮する場合とで、前記ブーツ体内の空気の流れを異ならせるように前記大径部の周方向に幅を有する請求項１に記載のコントロールケーブルアッシー。
【請求項３】
前記リップ部は、前記コントロールケーブルアッシーが操作されていない状態で、前記リップ部の少なくとも一部が、前記ガイドロッドまたは前記ガイドパイプの外周面と接触している請求項１または２に記載のコントロールケーブルアッシー。
【請求項４】
前記リップ部は、前記大径部に挿通されている前記ガイドロッドまたは前記ガイドパイプを、前記大径部の径方向中心に位置するように支持する、請求項１〜３のいずれかに記載のコントロールケーブルアッシー。
【請求項５】
一端にエンド部を有するロッドと、
一端部と、他端部と、前記一端部と前記他端部との間に設けられた蛇腹部とを有するブーツ体とを備えたブーツ組立体であって、
前記ブーツ体は、前記一端部に設けられた前記エンド部と係合する係合部と、前記他端部側に設けられ、前記一端部側よりも内径の大きな大径部と、前記一端部から前記他端部まで延びる内腔とを有し、
前記大径部は、内側空間を構成する内壁面と、前記内壁面から突出し、前記大径部の内部において接触し、前記内壁面と前記ロッドとの当接を阻害する接触部を有するリップ部とを有する、
ブーツ組立体。
【発明の詳細な説明】
【技術分野】
【０００１】
本発明は、コントロールケーブルアッシーおよびブーツ組立体に関する。
【背景技術】
【０００２】
コントロールケーブルのアウターケーシング内の防水、防塵のため、コントロールケーブルの端末に設けられる伸縮自在のブーツが知られている。
【０００３】
このようなブーツの一例として、特許文献１に開示されたブーツは、コントロールケーブルのガイドロッドの移動に追従して伸縮する蛇腹部と、移動に追従して膨張収縮することでブーツの内部圧力の増減を小さく抑える空気溜め部とを有している。一般的なブーツを装着したコントロールケーブルは、押し操作と引き操作で操作抵抗感に差が生じるが、このブーツは、空気溜め部を薄膜の柔軟材料とすることで膨張収縮しやすくし、押し引き操作に対する抵抗により、押し操作と引き操作で生じる操作抵抗感の差も小さくしている。
【先行技術文献】
【特許文献】
【０００４】
【特許文献１】実開平４−３６１５９号公報
【発明の概要】
【発明が解決しようとする課題】
【０００５】
しかし、特許文献１のブーツは、引き操作時のブーツの動きを容易として引き操作時の操作抵抗感を低くするために空気溜め部の肉厚を薄くすると、コントロールケーブルアッセンブリー搬送時、アッセンブリー同士が接触した際に、ブーツの空気溜め部に破れが生じる虞があり、アッセンブリー搬送時にブーツの空気溜め部に破れが生じないよう、特別な管理が必要となる。
【０００６】
本発明の目的は、搬送時にブーツ体の破れを防止するために特別な管理の必要のないコントロールケーブルアッシーと、それに用いられるブーツ組立体とを提供することにある。
【課題を解決するための手段】
【０００７】
本発明のコントロールケーブルアッシーは、インナーケーブルと、前記インナーケーブルを内部に挿通するアウターケーシングと、前記アウターケーシングの端部に固定される端末部材と、一端に前記インナーケーブルが接続される接続部と、他端にエンド部とが設けられたガイドロッドと、前記端末部材に設けられ、前記ガイドロッドが摺動する内腔を有する前記ガイドロッドの摺動を案内するガイドパイプと、前記ガイドロッドのエンド部と接続する一端部と、前記端末部材と接続する他端部と、前記一端部と前記他端部との間に設けられ、伸縮可能な蛇腹部とを有するブーツ体と、を備えたコントロールケーブルアッシーであって、前記ブーツ体は、前記一端部から前記他端部まで延びる内腔と、前記他端部側に設けられ、前記一端部側よりも内径の大きい大径部とを有し、前記大径部の内壁面には、前記内壁面から突出し、前記大径部の内部において接触し、前記内壁面と前記ガイドロッドとの当接を阻害する接触部を有するリップ部が設けられている。
【０００８】
本発明のブーツ組立体は、一端にエンド部を有するロッドと、一端部と、他端部と、前記一端部と前記他端部との間に設けられた蛇腹部とを有するブーツ体とを備えたブーツ組立体であって、前記ブーツ体は、前記一端部に設けられた前記エンド部と係合する係合部と、前記他端部側に設けられ、前記一端部側よりも内径の大きな大径部と、前記一端部から前記他端部まで延びる内腔とを有し、前記大径部は、内側空間を構成する内壁面と、前記内壁面から突出し、前記大径部の内部において接触し、前記内壁面と前記ロッドとの当接を阻害する接触部を有するリップ部とを有する。
【発明の効果】
【０００９】
本発明のコントロールケーブルアッシーおよびブーツ組立体によれば、搬送時にブーツ体の破れを防止するために特別な管理が必要ない。
【図面の簡単な説明】
【００１０】
【図１】本発明の一実施形態のコントロールケーブルアッシーの部分断面図である。
【図２】図１のコントロールケーブルアッシーのＣ−Ｃ線断面図である。
【図３】図１のコントロールケーブルアッシーのブーツ組立体の部分断面図である。
【図４】図３のブーツ組立体のＤ−Ｄ線断面図である。
【図５】図３のブーツ組立体において、ガイドパイプが揺動した状態を示す図である。
【図６】図５のブーツ組立体のＥ−Ｅ線断面図である。
【図７】図３のブーツ組立体において、大径部に外部から力が加わった状態を示す図である。
【図８】図７のブーツ組立体のＦ−Ｆ線断面図である。
【図９】図１のコントロールケーブルアッシーにおいて、インナーケーブルが押し操作された状態を示す部分断面図である。
【図１０】図１のコントロールケーブルアッシーにおいて、インナーケーブルが引き操作された状態を示す部分断面図である。
【発明を実施するための形態】
【００１１】
以下、図面を参照し、本発明の一実施形態のコントロールケーブルアッシーおよびブーツ組立体を説明する。なお、以下に示す実施形態は、あくまで一例であり、本発明のコントロールケーブルアッシーおよびブーツ組立体は、以下の実施形態に限定されるものではない。
【００１２】
本実施形態のコントロールケーブルアッシーＡは、図１に示されるように、インナーケーブル１と、インナーケーブル１を内部に挿通するアウターケーシング２と、アウターケーシング２の端部２ｅに固定される端末部材３と、ガイドロッド４と、端末部材３に設けられるガイドパイプ５と、ブーツ体６とを備えている。本実施形態のコントロールケーブルアッシーＡは、上記部材が互いに組み付けられて、１つのアセンブリーを構成している。本実施形態では、ガイドロッド４とブーツ体６とを備えたブーツ組立体Ｂ（図３参照）が形成され、ブーツ組立体Ｂと、他の部材とが互いに組み付けられることにより、コントロールケーブルアッシーＡが構成される。コントロールケーブルアッシーＡは、たとえば車両のシフトレバーやブレーキペダルなどの操作部（図示せず）に加えられた操作力をトランスミッションやブレーキなどの被操作部（図示せず）に伝達するために用いることができる。しかし、その用途は特に限定されることはなく、操作部に加えられた操作力を被操作部に伝達する用途であれば、車両以外の用途にも適用可能である。
【００１３】
インナーケーブル１は、一端が操作部側に接続され、他端が被操作部側に接続され、操作部の押し操作または引き操作などの操作力を被操作部に伝達する。インナーケーブル１は、本実施形態では、図１に示されるように、一端が直接または間接的に操作部に接続され、他端が後述するガイドロッド４の一端に接続されて、被操作部と間接的に接続される。インナーケーブル１としては、操作部の操作力を被操作部に伝達することができれば、特に限定されることはなく、たとえば公知のプッシュプルケーブルやプルケーブルを用いることができる。
【００１４】
アウターケーシング２は、両端に開口部と、両端の開口部を連通する中空部とを有し、中空部内にインナーケーブル１を摺動可能に収容する。アウターケーシング２は、操作部側から被操作部側まで配索されて、配索経路に沿ってインナーケーブル１を案内する。インナーケーブル１およびアウターケーシング２は、操作部側の操作力を被操作部側に伝達するコントロールケーブルとして機能する。本実施形態では、アウターケーシング２の一方の端部が、操作部側に固定され、図１に示されるように、アウターケーシング２の他方の端部２ｅが、端末部材３の一端にカシメなどの公知の固定方法により固定される。アウターケーシング２は、内部にインナーケーブル１を挿通できれば、特に限定されることはなく、公知のアウターケーシングを用いることができる。
【００１５】
端末部材３は、アウターケーシング２の端部２ｅおよびガイドパイプ５を保持する。端末部材３は、両端に開口部を有する略筒状に形成され、一端の開口部にアウターケーシング２の端部２ｅが固定され、他端の開口部に後述するガイドパイプ５を有し、図示しない車体などの取付対象に取り付けられる。端末部材３は、アウターケーシング２の端部２ｅおよびガイドパイプ５を保持することができれば、その形状や材質は特に限定されることはなく、たとえば、車体に設けられたブラケットに取り付けられる公知のケーシングキャップを用いることができる。
【００１６】
ガイドロッド４は、図１および図３に示されるように、一端にインナーケーブル１が接続される接続部４１と、他端にエンド部４２とが設けられている。ガイドロッド４は、後述するガイドパイプ５に案内されて摺動し、インナーケーブル１により伝達された操作部の操作力を被操作部側に伝達する。一端の接続部４１は、インナーケーブル１の他端に接続され、インナーケーブル１が操作部により操作されたときに、操作部の操作力をガイドロッド４に伝達する。他端のエンド部４２は、被操作部側に接続される係合部を有し、ガイドロッド４に伝わったインナーケーブル１からの操作力を被操作部側に伝達する。接続部４１は、インナーケーブル１を接続できれば、その接続方法は特に限定されることはなく、たとえばカシメなどの公知の固定手段によりインナーケーブル１に接続することができる。エンド部４２は、本実施形態では、リング状に形成され、ボルト／ナットなどの公知の固定手段により被操作部に接続される。ただし、エンド部４２は、被操作部に直接または間接的に接続することができれば、その形状や接続方法は限定されない。
【００１７】
ガイドロッド４は、本実施形態では、図１および図３に示されるように、ロッド状のロッド部４３を有し、ロッド部４３の一端側に接続部４１が設けられ、ロッド部４３の他端側にエンド部４２が設けられている。ロッド部４３は、ガイドパイプ５内を摺動するように構成されている。ロッド部４３は、本実施形態では略円柱状に形成されているが、インナーケーブル１により伝達された操作部の操作力を被操作部側に伝達することができれば、形状や大きさは特に限定されることはない。
【００１８】
ガイドパイプ５は、ガイドロッド４が摺動する内腔５１を有し、ガイドロッド４の摺動を案内する。ガイドパイプ５は、本実施形態では、図１および図２に示されるように、略円筒状に形成され、端末部材３の内部から後述するブーツ体６の内腔６５まで延びるように配置され、ガイドロッド４の少なくとも一部を摺動可能に収容している。ガイドパイプ５は、本実施形態では、端末部材３に対して揺動可能に設けられ、端末部材３とガイドロッド４との成す角度を調整することでガイドロッドの延びる方向を変更できるように構成されている。本実施形態では、ガイドパイプ５は、端末部材３の他端の開口部に挿通され、一端に形成された球状部５２が端末部材３の外壁との間に介挿された図示しない弾性部材に揺動可能に嵌合されている。ガイドパイプ５は、端末部材３に設けられて、ガイドロッド４の摺動を案内できればよく、その形状や大きさ、材質は特に限定されることはなく、また、端末部材３への設置方法も特に限定されることはなく、他の方法を採用してもよい。
【００１９】
ブーツ体６は、図１および図３に示されるように、ガイドロッド４のエンド部４２と接続する一端部６１と、端末部材３と接続する他端部６２と、一端部６１と他端部６２との間に設けられ、伸縮可能な蛇腹部６３とを有している。ブーツ体６はさらに、一端部６１から他端部６２まで延びる内腔６５と、他端部６２側に設けられ、一端部６１側よりも内径の大きい大径部６４とを有している。ブーツ体６は、ガイドロッド４および端末部材３に接続されて、外部から内腔６５内に水や塵が侵入するのを抑制し、水や塵からインナーケーブル１を保護する。ブーツ体６は、本実施形態では、ガイドロッド４のエンド部４２および端末部材３に気密または液密に接続されて、内腔６５内に水や塵が浸入するのを抑制する。ブーツ体６は、本実施形態では、図１および図３に示されるように、全体として一端部６１から他端部６２に延びる略筒状に形成されている。ブーツ体６は、本実施形態では、一端部６１において、一端部６１に設けられた係合部６１ｅがガイドロッド４のエンド部４２と係合することにより、ガイドロッド４のエンド部４２と接続される。より具体的には、一端部６１の係合部６１ｅは、一端部６１の内周に凸状に形成されており、エンド部４２の外周（ロッド部４３の外周）に凹状に形成されたエンド部側被係合部４２ｅと係合する。また、ブーツ体６は、他端部６２において、端末部材３と係合することにより、端末部材３に接続される。より具体的には、ブーツ体６の他端部６２は、他端部６２の内周に凹状に形成された他端部側係合部６２ｅを有している。また、端末部材３は、端末部材３の外周に形成された凸状の端末部材側被係合部３１を有している。ブーツ体６の他端部６２は、他端部側係合部６２ｅが端末部材側被係合部３１と係合されて、端末部材３に接続される。ただし、ブーツ体６は、外部から内腔６５内に水や塵が浸入するのを抑制できるようにガイドロッド４および端末部材３に接続されればよく、接続方法は特に限定されることはない。たとえば、ブーツ体６の一端部６１および他端部６２に設けられる係合部６１ｅおよび他端部側係合部６２ｅは、圧着部材によって外周から締め付けられることで、ガイドロッド４のエンド部４２および端末部材３に係合するものであってもよく、係合する部分の弾性による収縮力で被係合部側と密着してもよい。また、ブーツ体６の他端部６２は、本実施形態では端末部材３に直接接続されるが、端末部材３に設けられたガイドパイプ５に接続されて、ガイドパイプ５を介して間接的に端末部材３に接続されてもよい。
【００２０】
ブーツ体６の内腔６５は、ブーツ体６の内側に形成された空間であり、ブーツ体６の一端部６１がガイドロッド４のエンド部４２と接続され、ブーツ体６の他端部６２が端末部材３と接続されて閉鎖される。内腔６５は、インナーケーブル１、ガイドロッド４およびガイドパイプ５の少なくとも一部を収容し、インナーケーブル１およびガイドロッド４が移動する際に、内腔６５内における空気の移動を許容して、ブーツ体６の伸縮を許容する。内腔６５は、本実施形態では、図１および図３に示されるように、蛇腹部６３の内側に形成された蛇腹部側内腔６５ａと、大径部６４の内側に形成された大径部側内腔６５ｂとを有している。蛇腹部側内腔６５ａと大径部側内腔６５ｂとは、互いに連通して形成されている。
【００２１】
蛇腹部６３は、ガイドロッド４の移動に合わせて伸縮することで、ブーツ体６の外部から内腔６５内に水や塵が浸入するのを抑制しながら、ガイドロッド４の移動を許容する。蛇腹部６３は、本実施形態では、図１および図３に示されるように、ブーツ体６の軸Ｘ方向に沿って、山部６３ａと谷部６３ｂとが交互に連続的に形成された略筒状に形成されている。蛇腹部６３は、軸Ｘ方向に沿って伸縮可能であり、軸Ｘ方向に対して揺動可能に構成されている。ただし、蛇腹部６３は、ガイドロッド４の移動に合わせて伸縮可能であればよく、その構造や形状、大きさは特に限定されない。
【００２２】
大径部６４は、その内側の空間の体積が、蛇腹部６３が伸長する際に収縮し、蛇腹部６３が収縮する際に膨張するように構成され、蛇腹部６３の伸縮時の操作抵抗を減らす。より具体的には、大径部６４は、インナーケーブル１の押し操作によって蛇腹部６３が軸Ｘ方向に伸長すると、蛇腹部側内腔６５ａの体積の増加に応じて径方向に収縮して、大径部側内腔６５ｂ内の空気を蛇腹部側内腔６５ａ内に送り出す（図９参照）。また、大径部６４は、インナーケーブル１の引き操作によって蛇腹部６３が軸Ｘ方向に収縮すると、蛇腹部側内腔６５ａの体積の減少に応じて、蛇腹部側内腔６５ａ内の空気を大径部側内腔６５ｂ内に受け入れて径方向に膨張する（図１０参照）。大径部６４は、本実施形態では、図１および図３に示されるように、蛇腹部６３よりも内径の大きい略円筒状の本体部６４ｂを備えている。ただし、大径部６４は、ブーツ体６の一端部６１側よりも大きい内径を有し、蛇腹部６３が伸長する際に収縮し、蛇腹部６３が収縮する際に膨張するように構成されていればよく、その大きさや形状は特に限定されることはない。また、大径部６４は、ブーツ体６の他端部６２側に設けられていれば、その配置位置は特に限定されることはなく、たとえば別部材を介して蛇腹部６３と間接的に接続されてもよい。
【００２３】
ブーツ体６は、本実施形態では蛇腹部６３と大径部６４とが一体として形成されているが、蛇腹部６３と大径部６４とがそれぞれ別体として形成されたあとに両者が接続されてもよい。また、本実施形態では、ブーツ体６の他端部６２と大径部６４との間には、他端部６２よりも小径の小径部６６が形成されているが、ブーツ体６の形状は図示する形状に限定されない。また、ブーツ体６は、インナーケーブル１の押し操作または引き操作などに応じて変形可能な可撓性を有していれば、その材料は特に限定されることはないが、エチレンプロピレンゴム、クロロプレンゴム、シリコーンゴムなどを用いることができる。
【００２４】
本実施形態のコントロールケーブルアッシーＡは、図１および図３に示されるように、ガイドロッド４とブーツ体６とが予め組み付けられたブーツ組立体Ｂを備えている。本実施形態では、ブーツ組立体Ｂと、コントロールケーブルアッシーＡを構成する他の部材とを、相互に組み付けることにより、コントロールケーブルアッシーＡが形成される。なお、ブーツ組立体Ｂは、コントロールケーブルアッシーＡ以外の用途にも用いることができる。その場合、たとえば、ロッドとして、本実施形態で示すガイドロッド４以外の他の操作用ロッドを用いたものでもよい。
【００２５】
ブーツ体６の大径部６４の内側空間を構成する内壁面６４ｉには、図１〜図４に示されるように、内壁面６４ｉから突出するリップ部Ｌが設けられている。リップ部Ｌは、図５〜図８に示されるように、大径部６４の内部において接触し、内壁面６４ｉとガイドロッド４との当接を阻害する接触部Ｌｃを有している。本実施形態では、リップ部Ｌは、大径部６４の内壁面６４ｉから大径部６４の内側に向かって突出して形成され、ガイドロッド４と大径部６４の内壁面６４ｉとが互いに接近した際に、ガイドロッド４と大径部６４の内壁面６４ｉとが互いに当接するのを阻害するようにガイドロッド４と接触する接触部Ｌｃを有している。リップ部Ｌは、接触部Ｌｃにおいてガイドロッド４と接触することにより、大径部６４の内壁面６４ｉにガイドロッド４が当接するのを阻害する。接触部Ｌｃは、ガイドロッド４と大径部６４の内壁面６４ｉとが接近したときに、ガイドロッド４と接触して、ガイドロッド４と内壁面６４ｉとの当接を阻害する部位である。接触部Ｌｃは、ガイドロッド４が内壁面６４ｉと当接することを阻害できる位置に設けられ、リップ部Ｌの先端側と内壁面側との中間部位であってもよく、本実施形態では、リップ部Ｌの先端部が、接触部Ｌｃの一部として構成されている。接触部Ｌｃは、ガイドロッド４が内壁面６４ｉと当接することを阻害できる剛性を有し、当該阻害ができれば弾性を有していてもよい。
【００２６】
ここで、本実施形態のコントロールケーブルアッシーＡは、上述したように、ガイドロッド４とブーツ体６とを備えたブーツ組立体Ｂが別体として組み立てられたあと、ブーツ組立体Ｂと他の部材が互いに接続されて組み立てられる。ブーツ組立体Ｂは、車体などの取付対象のある位置まで搬送されたあと、他の部材に接続されて取付対象に取り付けられる。ブーツ組立体Ｂが搬送される際、たとえば、ガイドロッド４が揺動したり（図５および図６参照）、ブーツ体６の大径部６４に径方向内側に押圧される外力が加わったりして（図７および図８参照）、ガイドロッド４と大径部６４の内壁面６４ｉとが互いに接近することがある。このとき、大径部６４の内壁面６４ｉに、内壁面６４ｉとガイドロッド４との当接を阻害する接触部Ｌｃを有するリップ部Ｌが設けられていることにより、ガイドロッド４と大径部６４の内壁面６４ｉとが互いに接近したとしても、互いに当接するのが阻害される。したがって、ガイドロッド４の当接により大径部６４が破れるのを抑制することができるので、ブーツ組立体Ｂの搬送時にブーツ体６の破れを防止するために特別な管理が必要ない。
【００２７】
リップ部Ｌの先端Ｌｔは、本実施形態では、図３および図４に示されるように、ブーツ体６が伸縮していない状態のときに、ガイドロッド４から離間して位置している。リップ部Ｌの先端Ｌｔがガイドロッド４から離間していることで、コントロールケーブルアッシーＡを組み立てる際にガイドパイプ５にガイドロッド４を挿入しやすいので、コントロールケーブルアッシーＡを容易に組み立てることができる。
【００２８】
コントロールケーブルアッシーＡのリップ部Ｌは、本実施形態では、図１および図２に示されるように、コントロールケーブルアッシーＡが操作されていない状態で、ガイドロッド４またはガイドパイプ５の外周面から離間している。しかし、リップ部Ｌは、コントロールケーブルアッシーＡが操作されていない状態で、リップ部Ｌの少なくとも一部が、ガイドロッド４またはガイドパイプ５の外周面と接触していてもよい。その場合、コントロールケーブルアッシーＡが操作されていない状態においても、ブーツ体６の内腔６５においてガイドロッド４およびガイドパイプ５が揺動するのを抑制することができる。
【００２９】
リップ部Ｌは、大径部６４に挿通されているガイドロッド４またはガイドパイプ５を、大径部６４の径方向中心に位置するように支持するように構成されていてもよい。その場合、ブーツ体６の内腔６５においてガイドロッド４およびガイドパイプ５が揺動するのをより抑制することができる。本実施形態では、リップ部Ｌは、図１および図２に示されるように、コントロールケーブルアッシーＡが操作されていない状態で、ガイドロッド４またはガイドパイプ５の外周面を取り囲んで配置され、大径部６４の径方向中心からのガイドロッド４またはガイドパイプ５のずれを所定の範囲に規制している。本実施形態では、リップ部Ｌは、ガイドロッド４またはガイドパイプ５の外周面に接触していないが、ガイドロッド４またはガイドパイプ５の外周面に接触するように設けた場合は、大径部６４の径方向中心からのガイドロッド４またはガイドパイプ５のずれをより規制することができる。
【００３０】
リップ部Ｌは、本実施形態では、図１〜４に示されるように、大径部６４の内壁面６４ｉから突出して、ガイドロッド４と内壁面６４ｉとの当接を阻害するように、舌片状に形成されている。リップ部Ｌは、本実施形態では、複数（図２および図４中では４つ）のリップ部材Ｌ１により構成されている。複数のリップ部材Ｌ１は、大径部６４の内壁面６４ｉの内周に沿って設けられている。リップ部Ｌは、複数のリップ部材Ｌ１によりガイドロッド４またはガイドパイプ５を取り囲むように設けられている。それぞれのリップ部材Ｌ１は、略扇状に形成され、隣り合うリップ部材Ｌ１の間には、スリットＬ２が設けられている。リップ部Ｌは、スリットＬ２が設けられることにより、ガイドロッド４と接触したときに変形しやすいので、リップ部Ｌが変形せずに移動することによる大径部６４の変形および破れを抑制することができる。ただし、リップ部Ｌは、ガイドロッド４と内壁面６４ｉとの当接を阻害することができれば、個数、配置、形状などは図示された例に限定されることはない。たとえば、リップ部Ｌは、リップ部材Ｌ１およびスリットＬ２の形状や数を適宜変更して構成してもよいし、スリットＬ２が設けられずに大径部６４の全周に亘ってリップ部材Ｌ１が１つ設けられた構成としてもよい。また、リップ部材Ｌ１の形状としては、略棒状、略三角形状、略矩形状などであってもよい。また、リップ部材Ｌ１は、軸Ｘ方向に沿って複数設けられていてもよい。
【００３１】
また、リップ部Ｌは、本実施形態では、図１〜４に示されるように、軸Ｘ方向に対して垂直な方向から傾斜している。より具体的には、リップ部Ｌは、軸Ｘ方向に対して垂直な方向から、ブーツ体６の他端部６２側に向かって傾斜している。さらに具体的には、リップ部Ｌを構成するリップ部材Ｌ１のそれぞれは、リップ部材Ｌ１の先端Ｌｔがリップ部材Ｌ１の基端Ｌｂよりもブーツ体６の他端部６２側に位置し、リップ部材Ｌ１の基端Ｌｂから先端Ｌｔに延びる方向が、軸Ｘ方向に対して垂直な方向から傾斜するように設けられている。リップ部Ｌは、上述のようにリップ部材Ｌ１が傾斜して設けられることにより、ガイドロッド４と接触した際に傾斜した側に変形しやすいので、リップ部Ｌが変形せずに移動することによる大径部６４の変形および破れを抑制することができる。ただし、リップ部Ｌは、ガイドロッド４と内壁面６４ｉとの当接を阻害することができれば、その傾斜角度や傾斜方向は限定されることはない。
【００３２】
リップ部Ｌは、本実施形態では大径部６４と一体的に形成されているが、ガイドロッド４と内壁面６４ｉとの当接を阻害できれば、その形成方法や材料は限定されない。たとえば、リップ部Ｌは、本実施形態のように大径部６４と同一の材料で一体として形成されてもよいし、大径部６４と同一または別の材料で別体として形成されてもよい。
【００３３】
つぎに、図面を参照して、本実施形態のコントロールケーブルアッシーの作用・効果について説明する。なお、本発明のコントロールケーブルアッシーは、以下の例に限定されるものではない。
【００３４】
本実施形態のコントロールケーブルアッシーＡが取付対象に組み付けられる際、上述したように、ガイドロッド４とブーツ体６とを備えたブーツ組立体Ｂが、コントロールケーブルアッシーＡを構成する他の部材とは別に工場などで予め組み立てられて、取付対象のある位置まで搬送される。ブーツ組立体Ｂを搬送する際に、ガイドロッド４が揺動することで、ガイドロッド４が大径部６４の内壁面６４ｉに接近し（図５および図６の２点鎖線を参照）、また、ブーツ体６の大径部６４に径方向内側に押圧される外力が加わることで、大径部６４の内壁面６４ｉがガイドロッド４に接近する（図７および図８の２点鎖線を参照）ことがある。しかし、ブーツ体６の大径部６４の内壁面６４ｉには、内壁面６４ｉから突出し、大径部６４の内部において接触し、内壁面６４ｉとガイドロッド４との当接を阻害する接触部Ｌｃを有するリップ部Ｌが設けられている。したがって、ガイドロッド４と大径部６４の内壁面６４ｉとが互いに接近したとしても、ガイドロッド４がリップ部Ｌの接触部Ｌｃと接触し、ガイドロッド４が内壁面６４ｉに当接することが阻害される。したがって、ガイドロッド４の当接により大径部６４が破れるのを抑制することができるので、ブーツ組立体Ｂの搬送時にブーツ体６の破れを防止するために特別な管理が必要ない。
【００３５】
また、本実施形態のコントロールケーブルアッシーＡでは、以下に詳しく述べるように、インナーケーブル１の引き操作の抵抗感を通常（リップ部Ｌが設けられていない場合、以下同じ）と同程度に維持しつつ、インナーケーブル１の押し操作の抵抗感を通常よりも大きくすることができる。コントロールケーブルアッシーは、通常、インナーケーブルの引き操作よりも、インナーケーブルの押し操作の抵抗感が小さい。したがって、本実施形態のコントロールケーブルアッシーＡによれば、通常では抵抗感の小さい押し操作時の抵抗感を大きくすることにより、インナーケーブル１の引き操作時と押し操作時との抵抗感の差を小さくすることができる。
【００３６】
本実施形態のコントロールケーブルアッシーＡのリップ部Ｌは、上述したように、大径部６４の内壁面６４ｉから突出し、大径部６４の内部において接触し、内壁面６４ｉとガイドロッド４との当接を阻害する接触部Ｌｃを有している。本実施形態では、リップ部Ｌは、大径部６４の内壁面６４ｉから突出して、蛇腹部６３の伸長に伴い大径部６４が収縮した際に、ガイドロッド４またはガイドパイプ５と接触して、大径部６４の収縮を抑制するように機能する。より具体的には、図９に示されるように、インナーケーブル１の押し操作によってブーツ体６の蛇腹部６３が伸長すると、大径部６４が径方向に収縮して、リップ部Ｌはガイドロッド４またはガイドパイプ５の外周面と接触する。なお、図示された例では、リップ部Ｌは、ガイドパイプ５に接触しているが、ガイドパイプ５の長さによってはガイドロッド４と接触する場合がある。大径部６４は、リップ部Ｌがガイドロッド４またはガイドパイプ５の外周面と接触したあと、リップ部Ｌが衝立（ついたて）となって、大径部６４のそれ以上の径方向内側への収縮が抑制される。本実施形態のコントロールケーブルアッシーＡでは、大径部６４の収縮が抑制されることにより、蛇腹部６３内への空気の流入が抑制されるので、蛇腹部６３の伸長時の抵抗感が増加し、インナーケーブル１の押し操作の抵抗感を通常よりも大きくすることができる。一方で、リップ部Ｌは、図１０に示されるように、インナーケーブル１の引き操作によってブーツ体６の蛇腹部６３が収縮して大径部６４が径方向に膨張すると、ガイドロッド４またはガイドパイプ５の外周面から離間する。この場合、リップ部Ｌは、大径部６４の膨張に影響を及ぼすことがないため、インナーケーブル１の引き操作の抵抗感を通常と同程度に維持することができる。なお、この場合、リップ部Ｌは、少なくともインナーケーブル１の押し操作によって蛇腹部６３が伸長して大径部６４が径方向に収縮した際に、ガイドロッド４またはガイドパイプ５と接触するように形成されていることが好ましい。
【００３７】
また、本実施形態のコントロールケーブルアッシーＡのリップ部Ｌは、図２に示されるように、蛇腹部６３が伸長する場合と、蛇腹部６３が収縮する場合とで、ブーツ体６内の空気の流れを異ならせるように大径部６４の周方向に幅Ｗを有している。本実施形態では、リップ部Ｌは、大径部６４の周方向に幅Ｗを有する扇状に形成された複数のリップ部材Ｌ１を有している。しかし、リップ部Ｌは、蛇腹部６３が伸長する場合と、蛇腹部６３が収縮する場合とで、ブーツ体６内の空気の流れを異ならせるように大径部６４の周方向に幅Ｗを有していればよく、たとえば大径部６４の周方向に幅を有する略矩形状など、他の形状であっても構わない。リップ部Ｌは、本実施形態では、以下で詳しく述べるように、大径部６４の周方向に幅Ｗを有し、蛇腹部６３が伸長する場合にブーツ体６の一端部６１側への空気の流れを抑制し、蛇腹部６３が収縮する場合にブーツ体６の他端部６２側への空気の流れを許容するように機能する。リップ部Ｌは、大径部６４の内側空間の軸周り方向において、蛇腹部６３が伸長する場合にブーツ体６の一端部６１側への空気の流れを抑制し、蛇腹部６３が収縮する場合にブーツ体６の他端部６２側への空気の流れを許容する、リップ部間の隙間が設けられるように、配置されている。
【００３８】
リップ部Ｌは、図９に示されるように、インナーケーブル１の押し操作時に、ガイドロッド４またはガイドパイプ５の外周面に接近（または接触）して、リップ部Ｌとガイドロッド４またはガイドパイプ５の外周面との間の間隙が小さくなる。このとき、リップ部Ｌが大径部６４の周方向に幅Ｗを有しているので、ブーツ体６の他端部６２側（図中、リップ部Ｌの左側）からブーツ体６の一端部６１側（図中、リップ部Ｌの右側）への空気の流れが抑制され、大径部６４内から蛇腹部６３内への空気の流入が抑制される。したがって、蛇腹部６３の伸長時の抵抗感が大きくなり、インナーケーブル１の押し操作の抵抗感が通常よりも大きくなる。一方で、リップ部Ｌは、図１０に示されるように、インナーケーブル１の引き操作時に、ガイドロッド４またはガイドパイプ５の外周面から離間する方向に移動して、リップ部Ｌとガイドロッド４またはガイドパイプ５の外周面との間の間隙が大きくなる。このとき、リップ部Ｌとガイドロッド４またはガイドパイプ５の外周面との間で空気が自由に流れるので、ブーツ体６の一端部６１側（図中、リップ部Ｌの右側）からブーツ体６の他端部６２側（図中、リップ部Ｌの左側）への空気の流れが許容され、蛇腹部６３内から大径部６４内への空気の流入が許容される。したがって、蛇腹部６３の収縮の抵抗感は通常と同程度に維持され、インナーケーブル１の引き操作の抵抗感は通常と同程度に維持される。
【００３９】
また、リップ部Ｌは、本実施形態では、図１および図２に示されるように、蛇腹部６３が伸長する場合と、蛇腹部６３が収縮する場合とで、ブーツ体６内の空気の流れを異ならせるように、大径部６４の周方向に幅Ｗを有するとともに、軸Ｘに対して垂直な方向から傾斜している。リップ部Ｌは、このように傾斜していることにより、逆止弁のように機能して、ブーツ体６の一端部６１側への空気の流れとブーツ体６の他端部６２側への空気の流れとのいずれか一方を抑制し、他方を許容する。図示された例では、リップ部Ｌは、リップ部Ｌの先端Ｌｔがリップ部Ｌの基端Ｌｂよりもブーツ体６の他端部６２側に位置し、リップ部Ｌの基端Ｌｂから先端Ｌｔに延びる方向が、軸Ｘ方向に対して垂直な方向から傾斜するように設けられている。リップ部Ｌは、上述のようにブーツ体６の他端部６２側に傾斜して設けられることにより、ブーツ体６の一端部６１側への空気の流れを抑制し、ブーツ体６の他端部６２側への空気の流れを許容する。そして、ブーツ体６の一端部６１側への空気の流れを生じさせる蛇腹部６３の伸長の抵抗感が増加し、ブーツ体６の他端部６２側への空気の流れを生じさせる蛇腹部６３の収縮の抵抗感は通常と同程度に維持される。したがって、本実施形態のコントロールケーブルアッシーＡによれば、インナーケーブル１の引き操作の抵抗感を通常と同程度に維持しつつ、インナーケーブル１の押し操作の抵抗感を通常よりも大きくすることができる。
【符号の説明】
【００４０】
１  インナーケーブル
２  アウターケーシング
２ｅ  アウターケーシングの端部
３  端末部材
３１  端末部材側被係合部
４  ガイドロッド
４１  接続部
４２  エンド部
４２ｅ  エンド部側被係合部
４３  ロッド部
５  ガイドパイプ
５１  内腔
５２  球状部
６  ブーツ体
６１  一端部
６１ｅ  係合部
６２  他端部
６２ｅ  他端部側係合部
６３  蛇腹部
６３ａ  山部
６３ｂ  谷部
６４  大径部
６４ｂ  本体部
６４ｉ  内壁面
６５  内腔
６５ａ  蛇腹部側内腔
６５ｂ  大径部側内腔
６６  小径部
Ａ  コントロールケーブルアッシー
Ｂ  ブーツ組立体
Ｌ  リップ部
Ｌ１  リップ部材
Ｌ２  スリット
Ｌｃ  接触部
Ｌｂ  基端
Ｌｔ  先端
Ｗ  幅
【図１】
2018054102.tif 000003
【図２】
2018054102.tif 000004
【図３】
2018054102.tif 000005
【図４】
2018054102.tif 000006
【図５】
2018054102.tif 000007
【図６】
2018054102.tif 000008
【図７】
2018054102.tif 000009
【図８】
2018054102.tif 000010
【図９】
2018054102.tif 000011
【図１０】
2018054102.tif 000012